(57)【要約】【課題】複数の間仕切りパターン毎に照明シーンを演出でき、且つ、間仕切りパターンの追加や変更に容易に対応できる調光システムを提供する。【解決手段】シーン選択コントローラ２は、複数の照明負荷５の内の１乃至複数を個別に設定した調光レベルで点灯させる照明シーン再生用の複数の選択スイッチを具備し、選択スイッチの操作に応じて操作信号を出力する。調光装置１は、シーン選択コントローラ２から操作信号線Ｌ１を介して入力される操作信号を受信する第１の通信部と、複数の間仕切りパターン毎に各照明シーンにおける照明負荷５の調光レベルを設定するシーン情報および各選択スイッチの操作に応じて調光点灯される照明負荷５の割付情報を記憶する記憶部と、第１の通信部が受信した操作信号と記憶部に記憶されたシーン情報及び割付情報をもとに対応する照明負荷５を調光点灯する制御部とを備える。【選択図】図１
2005197131.tif 000002
【特許請求の範囲】
【請求項１】
間仕切りによって複数の照明領域に仕切られ且つ照明領域の間仕切りパターンが複数通りに変更可能な照明空間に設置される複数の照明負荷を調光制御する調光システムであって、
複数の照明負荷の内の１乃至複数を個別に設定した調光レベルで点灯させるための照明シーン再生用のシーン選択操作部を有し、シーン選択操作部の操作に応じて操作信号を出力する操作装置と、該操作装置に信号線を介して電気的に接続され操作装置からの操作信号に応じて１乃至複数の照明負荷を調光点灯する調光装置とを備え、
調光装置が、操作装置から信号線を介して入力される操作信号を受信する第１の通信部と、現在の間仕切りパターンにおいて各シーン選択操作部の操作に応じて調光点灯される照明負荷の割付を設定したパッチ情報および各照明シーンにおける照明負荷の調光レベルを設定したシーン情報を記憶する記憶部と、第１の通信部が受信した操作信号と記憶部に記憶されたパッチ情報およびシーン情報をもとに対応する照明負荷を調光点灯させる制御部とを具備して成ることを特徴とする調光システム。
【請求項２】
複数の間仕切りパターンから所望の間仕切りパターンを択一的に選択するためのパターン選択操作部を有し当該パターン選択操作部の操作に応じて間仕切りパターンを切り替える切替信号を調光装置に出力する間仕切りパターン切替装置を設けるとともに、調光装置の記憶部に複数の間仕切りパターンにそれぞれ対応した複数のパッチ情報を記憶させ、前記制御部が、前記選択信号をもとに選択された間仕切りパターンのパッチ情報を前記記憶部から読み出して、各シーン選択操作部と照明負荷との割付を変更することを特徴とする請求項１記載の調光システム。
【請求項３】
前記調光装置を複数備え、複数の調光装置の間を調光信号線および操作信号線を介して電気的に接続するとともに、各調光装置に、第１の通信部で受信した操作信号を操作信号線を介して他の調光装置に送信する第２の通信部と、調光信号線を介して他の調光装置との間で通信を行う第３の通信部とを設け、各調光装置の制御部は、予め対応関係が設定されたシーン選択操作部の操作に応じて操作装置から出力された操作信号を第１又は第２の通信部の何れかで受信すると、受信した操作信号とシーン情報とパッチ情報とに基づいて対応する照明負荷を調光点灯させるとともに、第３の通信部から他の調光装置へ調光制御信号を送信させ、他の調光装置の制御部が、第３の通信部で受信した調光制御信号とシーン情報とパッチ情報とに基づいて対応する照明負荷を調光点灯させることを特徴とする請求項１又は２記載の調光システム。
【発明の詳細な説明】
【技術分野】
【０００１】
本発明は、照明負荷の出力を制御するための調光システムに関するものであり、特にホテルの大広間やエントランス、美術館、博物館などの空間の演出照明を行うための調光システムに関するものである。
【背景技術】
【０００２】
従来より、ホテルの大広間やホールに設置された複数の照明器具を一斉に調光して演出照明を行うとともに、大広間やホールを複数の照明領域に区切って各照明領域毎に演出照明を行う調光システムが提供されている（例えば特許文献１参照）。
【０００３】
図８はこの種の調光システムの従来例を示すシステム構成図であり、この調光システムは調光装置１０１と、複数のシーン選択コントローラ１０２1，…，１０２n-1，１０２nと、間仕切りパターン切替器１０３と、複数の照明負荷１０４1〜１０４mとを主要な構成として備えている。
【０００４】
複数の照明負荷１０４1〜１０４mには、それぞれ固有の番号（この番号をディマー番号と言う）が割り付けられており、例えばホテルの大広間のように間仕切りによって複数の広間に仕切られるような照明空間に分散して配置されている。
【０００５】
また各々の照明負荷１０４1〜１０４mを予め設定された調光レベルで点灯させることによって所望の照明シーンを演出するために、各々のシーン選択コントローラ１０２1〜１０２nには複数の照明シーンをそれぞれ選択するための選択スイッチ１０５が設けられており、個々の選択スイッチ１０５には個別の番号（この番号をチャンネル番号と言う）が割り付けられている。
【０００６】
そして調光装置１０１には、どのチャンネル番号がどのディマー番号に割り当てられているか（つまり、どの選択スイッチ１０５がどの照明負荷１０４1〜１０４mに対応するか）を示す対応関係情報であるパッチ情報と、各々の照明シーン毎に照明負荷１０４1〜１０４mの調光レベルを設定したシーン情報とを記憶する記憶部（図示せず）が設けられており、何れかのシーン選択コントローラ１０２1〜１０２nで所望の照明シーンを再生するために選択スイッチ１０５が操作されて、このシーン選択コントローラからチャンネル番号のデータが入力されると、記憶部に記憶されたパッチ情報およびシーン情報から、入力されたチャンネル番号に対応するディマー番号と、このディマー番号に対応する照明負荷１０４1〜１０４mの調光レベルとを読み出し、これらの照明負荷１０４1〜１０４mを照明シーンに応じた調光レベルで点灯させている。
【０００７】
ところでホテルの大広間など１つの部屋を間仕切りで複数に仕切って使用するような部屋では使用用途などに合わせて複数の間仕切りパターンがあるため、間仕切りパターンが変更される毎に、各々の選択スイッチ１０５に割り当てたチャンネル番号と各々の照明負荷１０４1〜１０４mに割り当てたディマー番号との対応関係情報であるパッチ情報を変更する必要がある。
【０００８】
そこで図８に示した従来のシステムでは、個々の間仕切りパターン毎に各間仕切りパターンに対応したパッチ情報を備える制御部１０６1〜１０６Nを設けるとともに、シーン選択コントローラ１０２1〜１０２nからの操作信号を複数の制御部１０６1〜１０６Nの何れかに択一的に入力させるマルチプレクサ１０７と、複数の制御部１０６1〜１０６Nの内の何れかの制御出力を択一的に調光回路部１１０に入力させるマルチプレクサ１０８と、間仕切りパターン切替器１０３から入力される切替信号に応じてマルチプレクサ１０７，１０８の接点を切り替えるパターン切替部１０９と、マルチプレクサ１０８を介して入力される制御出力に応じて照明負荷１０４1〜１０４mを調光点灯する調光回路部１１０とを設けてある。なお間仕切りパターン切替器１０３には、複数の間仕切りパターンにそれぞれ対応した選択スイッチ１１１が複数設けられている。
【０００９】
そして間仕切りを移動させて間仕切りパターンを変更した場合に、使用者が間仕切りパターン切替器１０３の選択スイッチ１１１を操作して変更後の間仕切りパターンを選択すると、間仕切りパターン切替器１０３から調光装置１０１に間仕切りパターンの選択信号が送信される。このとき調光装置１０１では、パターン切替部１０９が間仕切りパターン切替器１０３からの選択信号を受信し、この選択信号に基づいてマルチプレクサ１０７，１０８の接点を切り替えることで、変更後の間仕切りパターンに対応した制御部１０６1…が切替接続されるようになっており、切替接続された制御部１０６1…が予め設定されたパッチ情報とシーン情報とをもとにシーン選択コントローラ１０２1…から入力される信号に基づいて各照明負荷１０４1…を調光点灯させることで、間仕切りパターンに応じた演出照明を行うのである。
【特許文献１】特開昭６０−６２０９９号公報
【発明の開示】
【発明が解決しようとする課題】
【００１０】
上述した従来の調光システムでは、間仕切りパターンの数だけ各々の間仕切りパターンで使用される専用の制御部１０６1…が必要になり、また間仕切りパターン切替器１０３の選択操作に応じてパターン切替部１０９がマルチプレクサ１０７，１０８の接点を切り替えて、変更後の間仕切りパターンに対応する制御部１０６1…を切替接続しているので、間仕切りパターンの数が増えると、パターン切替部１０９の構成が複雑になって、調光装置１０１が大型化するという問題があった。
【００１１】
また調光システムの施工後に間仕切りパターンを追加する場合、専用の制御部を追加したり、パターン切替部１０９の回路構成を変更しなければならず、間仕切りパターンの追加や変更に容易に対応できないという問題があった。
【００１２】
本発明は上記の問題点に鑑みて為されたものであり、その目的とするところは、複数の間仕切りパターン毎に照明シーンを演出でき、且つ、間仕切りパターンの追加や変更に容易に対応できる調光システムを提供することにある。
【課題を解決するための手段】
【００１３】
上記目的を達成するために、請求項１の発明は、間仕切りによって複数の照明領域に仕切られ且つ照明領域の間仕切りパターンが複数通りに変更可能な照明空間に設置される複数の照明負荷を調光制御する調光システムであって、複数の照明負荷の内の１乃至複数を個別に設定した調光レベルで点灯させるための照明シーン再生用のシーン選択操作部を有し、シーン選択操作部の操作に応じて操作信号を出力する操作装置と、該操作装置に信号線を介して電気的に接続され操作装置からの操作信号に応じて１乃至複数の照明負荷を調光点灯する調光装置とを備え、調光装置が、操作装置から信号線を介して入力される操作信号を受信する第１の通信部と、現在の間仕切りパターンにおいて各シーン選択操作部の操作に応じて調光点灯される照明負荷の割付を設定したパッチ情報および各照明シーンにおける照明負荷の調光レベルを設定したシーン情報を記憶する記憶部と、第１の通信部が受信した操作信号と記憶部に記憶されたパッチ情報およびシーン情報をもとに対応する照明負荷を調光点灯させる制御部とを具備して成ることを特徴とする。
【００１４】
請求項２の発明は、請求項１の発明において、複数の間仕切りパターンから所望の間仕切りパターンを択一的に選択するためのパターン選択操作部を有し当該パターン選択操作部の操作に応じて間仕切りパターンを切り替える切替信号を調光装置に出力する間仕切りパターン切替装置を設けるとともに、調光装置の記憶部に複数の間仕切りパターンにそれぞれ対応した複数のパッチ情報を記憶させ、制御部が、選択信号をもとに選択された間仕切りパターンのパッチ情報を記憶部から読み出して、各シーン選択操作部と照明負荷との割付を変更することを特徴とする。
【００１５】
請求項３の発明は、請求項１又は２の発明において、調光装置を複数備え、複数の調光装置の間を調光信号線および操作信号線を介して電気的に接続するとともに、各調光装置に、第１の通信部で受信した操作信号を操作信号線を介して他の調光装置に送信する第２の通信部と、調光信号線を介して他の調光装置との間で通信を行う第３の通信部とを設け、各調光装置の制御部は、予め対応関係が設定されたシーン選択操作部の操作に応じて操作装置から出力された操作信号を第１又は第２の通信部の何れかで受信すると、受信した操作信号とシーン情報とパッチ情報とに基づいて対応する照明負荷を調光点灯させるとともに、第３の通信部から他の調光装置へ調光制御信号を送信させ、他の調光装置の制御部が、第３の通信部で受信した調光制御信号とシーン情報とパッチ情報とに基づいて対応する照明負荷を調光点灯させることを特徴とする。
【発明の効果】
【００１６】
以上説明したように、請求項１の発明では、現在の間仕切りパターンに応じたパッチ情報およびシーン情報が記憶部に設定されており、制御部では、第１の通信部が受信した操作信号と、記憶部に記憶されたパッチ情報およびシーン情報をもとに対応する照明負荷を調光点灯させているので、複数の間仕切りパターンに対応した照明シーンを再生して演出照明を行うことができる。しかも記憶部に記憶されたパッチ情報およびシーン情報を変更することで複数の間仕切りパターンに対応できるから、従来の調光システムのように個々の間仕切りパターンに対応した専用の制御部を必要とせず、間仕切りパターンの追加や変更にも容易に対応できる。
【００１７】
また請求項２の発明では、調光装置の記憶部に、複数の間仕切りパターンにそれぞれ対応した複数のパッチ情報を記憶させており、制御部が、パターン選択操作部の操作に応じてパターン切替装置から入力される選択信号と、記憶部に記憶されたパッチ情報とをもとに、シーン選択操作部と照明負荷との割付を変更しているので、複数の間仕切りパターンに対応した照明シーンを再生して演出照明を行うことができる。
【００１８】
また請求項３の発明では、各調光装置において、対応するシーン選択操作部の操作に応じて操作装置から出力された操作信号を第１又は第２の通信部の何れかで受信すると、制御部が受信した操作信号に基づいて対応する照明負荷を調光点灯させるとともに、第３の通信部から他の調光装置へ調光制御信号を送信させ、他の調光装置の制御部が、第３の通信部で受信した調光制御信号に基づいて対応する照明負荷を調光点灯させているので、各調光装置では、他の調光装置に信号線を介して接続された操作装置から他の調光装置を介して入力された操作信号に応じて照明負荷を調光制御することができる。したがって１つの操作装置で複数の調光装置に接続された照明負荷を調光点灯することができ、操作装置の設置位置の自由度が向上する。
【発明を実施するための最良の形態】
【００１９】
以下に本発明の実施の形態を図面に基づいて説明する。
【００２０】
（実施形態１）
本発明の実施形態１を図１〜図４に基づいて説明する。図１は本実施形態のシステム構成を説明する図であり、この調光システムは、例えばホテルの大広間やエントランス、美術館、博物館など１つの照明空間Ａを間仕切りＣによって複数の照明領域Ｂ１，Ｂ２，Ｂ３，Ｂ４，…，Ｂｎに仕切ることができ、且つ間仕切りＣを移動させることで間仕切りパターンを複数に変更できるような部屋に用いられて、演出照明を行うためのものである。そして本システムは、調光装置１と、複数台のシーン選択コントローラ２と、パターン切替器３と、システムデータ設定装置４と、複数台の照明負荷５とを主な構成要素として備える。
【００２１】
各照明負荷５は調光装置１によって調光レベルが制御可能な白熱灯などの光源を有し、各々の照明領域Ｂ１…に少なくとも１台の照明負荷５が存在するように配置が決定されている。
【００２２】
また複数台のシーン選択コントローラ２とパターン切替器３とは操作信号線Ｌ１を介して調光装置１に電気的に接続されている。調光装置１、シーン選択コントローラ２、及びパターン切替器３には例えばディップスイッチなどで個別のアドレスデータが割り当てられており、調光装置１とシーン選択コントローラ２及びパターン切替器３との間ではアドレスデータを含む伝送信号を用いてシリアル通信を行っている。なおシリアル通信にはＥＩＡ−ＲＳ４８５規格＋ＣＳＭＡプロトコルなどの伝送方式が用いられる。
【００２３】
各シーン選択コントローラ２は、図３（ａ）に示すように調光装置１との間でシリアル通信を行う伝送通信部２１と、複数の照明シーンにそれぞれ対応した複数の押釦（図示せず）からなる操作部２２と、各押釦に付設されたＬＥＤなどの表示ランプからなる点灯表示部２３と、マイクロコンピュータからなる制御部２４とを備え、個々の照明領域Ｂ１…に少なくとも１台のシーン選択コントローラ２が存在するように配置が決定されている。
【００２４】
パターン切替器３は、図３（ｂ）に示すように調光装置１との間でシリアル通信を行う伝送通信部３１と、複数の間仕切りパターンにそれぞれ対応した複数の押釦（図示せず）からなる操作部３２と、各押釦に付設されたＬＥＤなどの表示ランプからなる点灯表示部３３と、マイクロコンピュータからなる制御部３４とを備えている。
【００２５】
システムデータ設定装置４は例えばパーソナルコンピュータや携帯型の端末装置からなり、図３（ｃ）に示すように調光装置１との間で信号線Ｌ３を介してシリアル通信を行う伝送通信部４１と、キーボードやテンキーなどの入力部４２と、設定内容を確認するためのＣＲＴやＬＣＤなどの表示部４３と、制御部４４と、記憶部４５とを備えている。
【００２６】
また調光装置１は、図２（ａ）に示すように各照明負荷５への供給電力を変化させることによって照明負荷５を調光する調光回路部１１と、調光回路部１１の出力を制御する制御部１２とで構成される。
【００２７】
調光回路部１１は従来周知の位相制御方式の調光回路からなり、トライアック等の位相制御素子を具備し、制御部１２から入力されるトリガ信号によって位相制御素子の導通角を制御することで、照明負荷５への供給電力を変化させて、照明負荷５を調光点灯させている。
【００２８】
制御部１２は調光回路部１１にトリガ信号を与えるものであって、図２（ｂ）に示すように、シーン選択コントローラ２やパターン切替器３、或いはシステムデータ設定装置４との間でシリアル通信を行う伝送通信部１３と、例えばＲＡＭ、ＲＯＭ、ＥＥＰＲＯＭ、フラッシュＲＯＭなどで構成され上述したシーン情報やパッチ情報などのデータを記憶する記憶部１４と、ＥＩＡ−ＲＳ４８５規格＋ＣＳＭＡプロトコルなどのシリアル伝送方式で調光制御信号を出力する調光信号出力部１５と、マイクロコンピュータなどからなる演算制御部１６とで構成される。
【００２９】
次に本システムの動作について説明する。先ず作業者がシステムデータ設定装置４の入力部４２を操作して間仕切りパターンを選択し、さらに選択した間仕切りパターンにおいて、照明シーンを記憶又は再生する際に用いる調光レベルやフェード時間などのシーン情報を入力する。システムデータ設定装置４は信号線を介して調光装置１に接続されており、入力部４２を用いて入力されたシーン情報は伝送通信部４１から調光装置１に送信され、調光装置１の伝送通信部１３で受信される。このとき調光装置１では、演算制御部１６が伝送通信部１３で受信したシーン情報を記憶部１４の対応する記憶エリア５２1…に記憶させるとともに、その格納先アドレスを記憶エリア５１1…に記憶させる。なお図４は記憶部１４の記憶領域の構成を示し、記憶領域５２1〜５２Nには間仕切りパターンＰ1〜ＰNでそれぞれ使用するシーン情報が記憶され、記憶領域５１1〜５１Nには間仕切りパターンＰ1〜ＰNでそれぞれ使用するシーン情報の格納先アドレスが記憶されている。
【００３０】
また選択された間仕切りパターンにおいて、どのシーン選択コントローラ２がどの照明負荷５に対応するかを示す対応関係情報であるパッチ情報をシステムデータ設定装置４を用いて入力すると、入力されたパッチ情報がシステムデータ設定装置４から調光装置１に送信され、調光装置１の伝送通信部１３で受信される。このとき演算制御部１６は伝送通信部１３で受信したパッチ情報を記憶部１４の対応する記憶エリア５４1…に記憶させるとともに、その格納先アドレスを記憶エリア５３1…に記憶させる。すなわち記憶部１４の記憶領域５４1〜５４Nには間仕切りパターンＰ1〜ＰNでそれぞれ使用するパッチ情報が記憶され、記憶領域５３1〜５３Nには間仕切りパターンＰ1〜ＰNでそれぞれ使用するパッチ情報の格納先アドレスが記憶されている。以上のような操作を繰り返すことで調光装置１の記憶部には各間仕切りパターンに対応したシーン情報およぼパッチ情報が登録される。
【００３１】
その後、間仕切りＣの変更などに応じてパターン切替器３の操作部３２を操作し、現在の間仕切りパターンを変更する操作を行うと、制御部３４が操作部３２からの操作入力に応じて伝送通信部３１から変更後の間仕切りパターンを示す操作信号を操作信号線Ｌ１に送出させる。このとき調光装置１では伝送通信部１３がパターン切替器３からの操作信号を受信し、演算制御部１６が受信した操作信号をもとに、変更後の間仕切りパターンで使用するシーン情報の格納先アドレスおよびパッチ情報の格納先アドレスをそれぞれ記憶領域５１1…，５３1…から読み出して、記憶領域５５ａ，５５ｂにコピーする。すなわち記憶領域５５ａには現在の間仕切りパターンで使用するシーン情報の格納先アドレスが記憶され、記憶領域５５ｂには現在の間仕切りパターンで使用するパッチ情報の格納先アドレスが記憶される。
【００３２】
そして間仕切りパターンを選択した後に、シーン選択コントローラ２の操作部２２を操作して、所望の照明シーンを再生する操作を行うと、制御部２４が操作部２２からの操作入力に応じて伝送通信部２１から所望の照明シーンを再生させる操作信号を操作信号線Ｌ１に送出させる。このとき調光装置１では伝送通信部１３がシーン選択コントローラ２からの操作信号を受信し、演算制御部１６が受信した操作信号をもとに、記憶領域５５ａ，５５ｂに記憶された格納先アドレスから照明シーンのシーン情報とパッチ情報とを読み出し、このシーン情報とパッチ情報をもとに調光回路部１１へトリガ信号を出力させて、対応する照明負荷５の調光制御を行っており、所望の照明シーンを再生する。なお記憶部１４の記憶領域５６には現在出力している調光レベルの情報が格納されている。
【００３３】
このように、記憶部１４には複数の間仕切りパターンでそれぞれ使用するシーン情報とパッチ情報が登録されており、パターン切替器３を用いて変更された現在の間仕切りパターンのシーン情報およびパッチ情報を記憶部１４から読み出し、読み出したシーン情報およびパッチ情報に基づいて照明負荷５の調光制御を行っているので、各々の間仕切りパターンに対応した照明シーンを記憶又は再生させることができる。すなわち照明空間Ａにおいて間仕切りＣを移動させることで照明領域の区切りが変えられ、部屋の間仕切りパターンが変更された場合でも、変更後の間仕切りパターンに応じた照明シーンを再生することができる。また記憶部１４に記憶させたシーン情報およびパッチ情報を変更することで複数の間仕切りパターンに対応できるから、従来の調光システムのように個々の間仕切りパターンに対応した専用の制御部を必要とせず、間仕切りパターンの追加や変更にも容易に対応できる。
【００３４】
（実施形態２）
次に本発明の実施形態２を図５及び図６に基づいて説明する。上述の実施形態１では１台の調光装置１で複数の照明負荷５を調光していたが、本実施形態では複数の調光装置１1，１2，…，１Nを備え、各調光装置１1〜１Nがそれぞれ直接接続された配下の照明負荷５を調光制御している。なお調光システムの基本的な構成および動作は実施形態１と同様であるので、共通する構成要素には同一の符号を付して図示及び説明は省略し、本実施形態の特徴部分のみを説明する。
【００３５】
本実施形態では複数の調光装置１1〜１Nの間が調光信号線Ｌ２を介して電気的に接続されており、その内の１台（例えば調光装置１1）に操作信号線Ｌ１を介してシーン選択コントローラ２1〜２N及びパターン切替器３が電気的に接続されている。図６は各調光装置１1〜１Nの要部のブロック図を示し、調光信号割付処理部１７と信号切替部１８とを備えている。信号切替部１８は単極双投型のスイッチからなり、この共通接点ｃを外部接続端子Ｔ２に接続するとともに、一方の切替接点ａを外部接続端子Ｔ１および調光信号割付処理部１７の入力端に、他方の切替接点ｂを調光信号割付処理部１７の出力端にそれぞれ接続してある。
【００３６】
各調光装置１1〜１Nの制御部１２はシステムデータ設定装置４からの設定入力或いは内蔵するディップスイッチ（図示せず）などの設定に応じて親機又は子器として動作し、親機として動作する調光装置１1では端子Ｔ１に操作信号線Ｌ１が、端子Ｔ２に調光信号線Ｌ２を介して調光装置１2の端子Ｔ１がそれぞれ接続され、信号切替部１８の共通接点ｃが切替接点ｂに接続されており、操作信号線Ｌ１を介して入力された操作信号が調光信号割付処理部１７に入力されるとともに、調光信号割付処理部１７の出力（調光信号出力部１５から出力される調光制御信号）が調光信号線Ｌ２に送出されるようになっている。
【００３７】
また子器として動作する調光装置１2…では、端子Ｔ１に調光信号線Ｌ２を介して上位の調光装置１1…の端子Ｔ２が、端子Ｔ２に調光信号線Ｌ２を介して下位の調光装置１3…の端子Ｔ１がそれぞれ接続され、信号切替部１８の共通接点ｃが切替接点ａに接続されており、上位の調光装置１1…から端子Ｔ１に入力された調光制御信号が調光信号割付処理部１７に入力されるとともに、端子Ｔ２から下位の調光装置１3…へそのまま送出されるようになっている。
【００３８】
また図５及び図６では図示を省略しているが、調光装置１1…には図示しない信号線を介してシステムデータ設定装置４が接続され、実施形態１と同様の方法でシステムデータ設定装置４を用いて各調光装置１1…にシーン情報やパッチ情報のデータが設定されるとともに、シーン選択コントローラ２1…のタイプとアドレス番号との関連情報が設定されている。
【００３９】
ここで操作信号線Ｌ１に接続されたパターン切替器３を用いて間仕切りパターンが変更されると、パターン切替器３から調光装置１１に変更後の間仕切りパターンを示す操作信号が送信される。このとき調光装置１１では伝送通信部１３がパターン切替器３からの操作信号を受信し、演算制御部１６が受信した操作信号をもとに、変更後の間仕切りパターンで使用するシーン情報の格納先アドレスおよびパッチ情報の格納先アドレスをそれぞれ記憶領域５１1…，５３1…から読み出して、記憶領域５５ａ，５５ｂにコピーする。すなわち記憶領域５５ａには現在の間仕切りパターンで使用するシーン情報の格納先アドレスが記憶され、記憶領域５５ｂには現在の間仕切りパターンで使用するパッチ情報の格納先アドレスが記憶される。また他の調光装置１2〜１Nでも、調光装置１１と同様の処理を行って、記憶部１４の記憶領域５５ａ，５５ｂに変更後の間仕切りパターンで使用するシーン情報の格納先アドレスおよびパッチ情報の格納先アドレスがそれぞれ登録される。
【００４０】
そして間仕切りパターンを選択した後に、シーン選択コントローラ２1…の操作部２２を操作して、所望の照明シーンを再生する操作を行うと、制御部２４が操作部２２からの操作入力に応じて送信先のアドレス、送信元のアドレス、及び押された押釦（操作部２２）の種類などのデータからなる操作信号を伝送通信部２１から操作信号線Ｌ１に送出させる。このとき調光装置１1（親機）では伝送通信部１３がシーン選択コントローラ２1…からの操作信号を受信し、演算制御部１６が受信した操作信号に対する応答メッセージを作成して、伝送通信部１３から送信元のシーン選択コントローラ２に返送させた後、この操作信号と、記憶領域５５ａ，５５ｂに記憶された格納先アドレスに格納されている現在の間仕切りパターンのシーン情報およびパッチ情報とに基づいて調光回路部１１へトリガ信号を出力させて、調光装置１1に直接接続されている照明負荷５の調光制御を行うとともに、調光信号割付処理部１７から信号切替部１８を介して調光信号線Ｌ２に調光レベルを示す調光制御信号を送出させる。このとき他の調光装置１2〜１N（子器）では、伝送通信部１３が調光信号線Ｌ２を介して送信された調光制御信号を受信し、この調光制御信号と現在の間仕切りパターンのシーン情報およびパッチ情報とに基づいて調光回路部１１へトリガ信号を出力させて、調光装置１2〜１Nにそれぞれ接続されている照明負荷５の調光制御を行う。そして調光制御の終了後に調光装置１1（親機）は、点灯表示部２３の点灯／消灯を制御する制御データを送信元のシーン選択コントローラ２1…に送出し、この制御データを受信した送信元のシーン選択コントローラ２1…では制御部２４が点灯制御部２３の点灯状態を制御し、押操作された押釦に付設した表示ランプを点灯させることで操作状態を点灯表示するとともに、制御データに対する応答メッセージを調光装置１1に返送して、一連の制御動作を終了する。
【００４１】
（実施形態３）
本発明の実施形態３を図７に基づいて説明する。上述の実施形態１では１台の調光装置１で複数の照明負荷５を調光していたが、本実施形態では実施形態２と同様に複数の調光装置１1，１2，…，１Nを備え、各調光装置１1〜１Nがそれぞれ直接接続されている配下の照明負荷５を調光制御している。なお調光システムの基本的な構成および動作は実施形態１と同様であるので、共通する構成要素には同一の符号を付して図示及び説明は省略し、本実施形態の特徴部分のみを説明する。
【００４２】
各調光装置１1〜１Nにはそれぞれ操作信号線Ｌ１を介してシーン選択コントローラ２及びパターン切替器３に電気的に接続されるとともに、調光装置１1〜１Nの間が操作信号線Ｌ３を介して電気的に接続されている。各調光装置１1〜１Nには操作信号線Ｌ３を介してシリアル通信を行う第２の通信部たる伝送通信部（図示せず）が設けられており、この伝送通信部により操作信号線Ｌ１を介して受信した操作信号を操作信号線Ｌ３を介して他の調光装置へ出力することによって、他の調光装置に接続されたシーン選択コントローラ２との間でも通信を行うことができ、全てのシーン選択コントローラ２から操作信号を受信できるようになっている。また各調光装置１1〜１Nの間が調光信号線Ｌ２を介して電気的に接続されており、各調光装置１1〜１Nには調光信号線Ｌ２を介してシリアル通信を行う第３の通信部たる伝送通信部（図示せず）が設けられている。
【００４３】
ここで各調光装置１1〜１Nの記憶部１４には、調光装置１1〜１Nの備える設定部（図示せず）又はシステムデータ設定装置４からの設定入力に応じて、自己の管理下にあるシーン選択コントローラ２のアドレスが登録されており、シーン選択コントローラ２からの送信信号を受信した時に、送信元が自己の管理下にある場合のみ応答メッセージを送信元に返送するようになっている。またシーン選択コントローラ２でも操作信号を送信する送信相手の調光装置１1…のアドレスが予め設定されている。
【００４４】
次に本システムの動作について説明する。何れかのシーン選択コントローラ２の選択スイッチが操作されて、このシーン選択コントローラ２から送信元のアドレスと送信先の調光装置のアドレスを含む操作信号が対応関係の設定された調光装置１1…へ送信された場合、演算制御部１６は、操作信号線Ｌ１又はＬ３を介して伝送通信部で受信した操作信号に含まれる送信元アドレスと、記憶部１４に登録されたシーン選択コントローラ２のアドレスとを比較することで、送信元のシーン選択コントローラ２が自己の管理下にあると判断して、伝送通信部１１から送信元のシーン選択コントローラ２へ応答メッセージを返送させるとともに、この操作信号に応じて照明負荷５を調光点灯させる。また演算制御部１６は、この操作信号に基づいて調光制御信号を作成し、この調光制御信号を伝送通信部から調光信号線Ｌ２を介して他の調光装置に送出させる。一方、送信元のシーン選択コントローラ２が自己の管理下に入っていない調光装置１1〜１Nでは、演算制御部１６が、操作信号線Ｌ１又はＬ３を介して伝送通信部で受信した操作信号に含まれる送信元アドレスと、記憶部１４に登録されたシーン選択コントローラ２のアドレスとを比較することで、送信元のシーン選択コントローラ２が自己の管理下にないと判断して応答メッセージは返送せず、調光信号線Ｌ２を介して他の調光装置から送信された調光制御信号を伝送通信部で受信し、受信した調光制御信号と現在の間仕切りパターンに対応したシーン情報およびパッチ情報とに基づいて対応する照明負荷５を調光点灯させる。また送信元のシーン選択コントローラ２が自己の管理下にある調光装置１1…では、調光制御後に点灯表示部２３の点灯／消灯を制御する制御データを送信元のシーン選択コントローラ２に送出し、この制御データを受信した送信元のシーン選択コントローラ２では制御部２４が点灯制御部２３の点灯状態を制御し、押操作された押釦に付設した表示ランプを点灯させることで操作状態を表示するとともに、制御データに対する応答メッセージを送信元の調光装置１1…に返送して、一連の制御動作を終了する。
【００４５】
以上説明したように本実施形態では全ての調光装置１1…で、他の調光装置に直接接続されたシーン選択コントローラ２との間で通信を行えるので、シーン選択コントローラ２の設置場所に制限が無くなり、設置場所の自由度が向上するとともに、シーン選択コントローラ２の操作に応じて複数の調光装置１1…で照明負荷５の調光制御を行わせることができる。またシーン選択コントローラ２から操作信号が出力された時に、この操作信号に対して応答メッセージを返送する調光装置１1…が１台だけ決められているので、複数の調光装置１1…から同じタイミングで操作信号線Ｌ１，Ｌ３に応答メッセージが返送されて、バス通信上でデータが衝突するコンテンションエラーの発生を防止でき、信頼性の高い通信を行うことができる。
【図面の簡単な説明】
【００４６】
【図１】実施形態１の調光システムのシステム構成図である。
【図２】（ａ）（ｂ）は同上に用いる調光装置の内部ブロック図である。
【図３】同上を示し、（ａ）はシーン選択コントローラのブロック図、（ｂ）はパターン切替器のブロック図、（ｃ）はシステムデータ設定装置のブロック図である。
【図４】同上に用いる記憶部の記憶領域の説明図である。
【図５】実施形態２の調光システムの概略のシステム構成図である。
【図６】同上の要部のブロック図である。
【図７】実施形態３の調光システムの概略のシステム構成図である。
【図８】従来の調光システムのシステム構成を示すブロック構成図である。
【符号の説明】
【００４７】
１  調光装置
２  シーン選択コントローラ
３  パターン切替器
４  システムデータ設定装置
５  照明負荷
Ｌ１  操作信号線
Ｌ３  信号線
【図１】
2005197131.tif 000003
【図２】
2005197131.tif 000004
【図３】
2005197131.tif 000005
【図４】
2005197131.tif 000006
【図５】
2005197131.tif 000007
【図６】
2005197131.tif 000008
【図７】
2005197131.tif 000009
【図８】
2005197131.tif 000010